(57)【要約】【課題】システムの構築が容易であり、セキュリティを向上することができるデータ管理システムを提供する。【解決手段】データ管理システムにおいては、タイマ２９により時間を計測し、所定の時間が経過したか否かを判断する（Ｓ１２）。所定の時間が経過すれば（Ｓ１２において、ＹＥＳ）、アンテナ２６を介して、リーダライタ１２からのデータ保持信号を受信したか否かを判断する（Ｓ１３）。データ保持信号を受信しないと判断した場合（Ｓ１５において、ＹＥＳ）には、ＲＦＩＤタグ２１に内蔵された電池２３のエネルギーを用いて、メモリ２２に格納されたデータを消去する（Ｓ１７）。【選択図】図２
2010186387.tif 000002
【特許請求の範囲】
【請求項１】
ＲＦＩＤタグと交信可能なリーダを備えるデータ管理システムであって、
前記リーダは、前記ＲＦＩＤタグに格納されたデータを保持させるデータ保持信号を前記ＲＦＩＤタグに送信する送信手段を含み、
前記ＲＦＩＤタグは、データを格納する格納手段と、
所定の電力を保持する電力保持手段と、
前記送信手段により送信された前記データ保持信号を受信する受信手段と、
前記受信手段により前記データ保持信号が受信されているか否かを判断する判断手段と、
前記電力保持手段により保持した所定の電力のエネルギーを用いて、前記格納手段に格納されたデータを消去するデータ消去手段と、
前記判断手段により前記データ保持信号を受信していないと判断すれば、前記データ消去手段を作動させるよう制御する制御手段とを含む、データ管理システム。
【請求項２】
前記データ消去手段は、前記格納手段に格納されたデータの一部を書き換える、請求項１に記載のデータ管理システム。
【請求項３】
前記判断手段により前記データ保持信号を受信していないと判断した後、前記データ消去手段が作動する前に、前記データ消去手段の作動前であることを報知する第一報知手段を含む、請求項１または２に記載のデータ管理システム。
【請求項４】
前記データ消去手段が作動したことを報知する第二報知手段を含む、請求項１〜３のいずれかに記載のデータ管理システム。
【請求項５】
前記ＲＦＩＤタグは、光を点灯させる光源部を含み、
前記第一および第二報知手段のうち、少なくともいずれか一方は、前記光源部を作動させる、請求項４に記載のデータ管理システム。
【請求項６】
前記ＲＦＩＤタグは、音声を出力する音声出力部を含み、
前記第一および第二報知手段のうち、少なくともいずれか一方は、前記音声出力部を作動させる、請求項４または５に記載のデータ管理システム。
【請求項７】
前記判断手段は、前記受信手段によって前記データ保持信号を所定時間受信しなければ、前記受信手段による信号の受信感度を高くする、請求項１〜６のいずれかに記載のデータ管理システム。
【請求項８】
前記電力保持手段は、前記ＲＦＩＤタグに取り付けられた電池を含む、請求項１〜７のいずれかに記載のデータ管理システム。
【請求項９】
前記電池は、前記ＲＦＩＤタグに着脱可能である、請求項８に記載のデータ管理システム。
【請求項１０】
前記ＲＦＩＤタグは、セミパッシブタグである、請求項１〜９のいずれかに記載のデータ管理システム。
【請求項１１】
ＲＦＩＤタグに含まれる格納手段に格納されたデータを管理するデータ管理方法であって、
前記ＲＦＩＤタグに対し、前記格納手段に格納されたデータを保持させるデータ保持信号を送信する送信ステップと、
送信された前記データ保持信号を、前記ＲＦＩＤタグに含まれる受信手段によって受信する受信ステップと、
前記受信手段によって前記データ保持信号を受信されているか否かを、前記ＲＦＩＤタグに含まれる判断手段により判断する判断ステップと、
前記判断ステップにより前記データ保持信号を受信していないと判断すれば、前記ＲＦＩＤタグに含まれる電力保持手段により保持した所定の電力のエネルギーを用いて、前記格納手段に格納されたデータを消去するデータ消去ステップとを含む、データ管理方法。
【請求項１２】
データを格納する格納手段を含むＲＦＩＤタグと交信可能なリーダであって、
前記格納手段に格納されたデータを保持させるデータ保持信号を前記ＲＦＩＤタグに送信する送信手段を含む、リーダ。
【請求項１３】
データを格納する格納手段を含むＲＦＩＤタグであって、
所定の電力を保持する電力保持手段と、
リーダにより送信された信号であって、前記格納手段に格納されたデータを保持させるデータ保持信号を受信する受信手段と、
前記受信手段により前記データ保持信号が受信されているか否かを判断する判断手段と、
前記電力保持手段により保持した所定の電力のエネルギーを用いて、前記格納手段に格納されたデータを消去するデータ消去手段と、
前記判断手段により前記データ保持信号を受信していないと判断すれば、前記データ消去手段を作動させるよう制御する制御手段とを含む、ＲＦＩＤタグ。
【発明の詳細な説明】
【技術分野】
【０００１】
この発明は、データ管理システムおよびデータ管理方法に関するものであり、特に、ＲＦＩＤタグおよびＲＦＩＤタグと交信可能なリーダを用いたデータ管理システムおよびデータ管理方法に関するものである。
【背景技術】
【０００２】
従来、ＲＦＩＤ（Ｒａｄｉｏ  Ｆｒｅｑｕｅｎｃｙ  Ｉｄｅｎｔｉｆｉｃａｔｉｏｎ）タグやＩＣタグ、ＩＣカード等を用いたデータ管理システムにおいては、例えば、ＲＦＩＤタグと交信可能なリーダライタを用いて、ＲＦＩＤタグに含まれるメモリにデータを格納したり、格納されたデータを読取ることとしている。ＲＦＩＤタグ等は、持ち運び可能であるため、遠隔地におけるデータの活用等において、このようなシステムは有効である。
【０００３】
一方、データの改竄やデータの漏洩等、ＩＣカードの不正利用やセキュリティの向上の観点から、このような持ち運び可能なＩＣカード等の管理は慎重を期することが望ましい。ここで、不正使用の禁止促進等の観点から、子機となるＩＣカードに警報機能を設けたＩＣカード旅客輸送券警報システムに関する技術が、特開２００２−１７５３５５号公報（特許文献１）に開示されている。特許文献１によると、ＩＣカードの遠距離タイプ無線タグは、乗車駅等に設置された発信装置からの情報を受信し、ＩＣカード利用者が現在どこにいるかを判断して、「乗り越し警報」、「不正乗車事前警報」を行なうこととしている。また、ＩＣカードの近距離タイプ無線タグは、ＩＣカードと対になった個人携帯型発信装置からの情報を受信し、ＩＣカードが利用者から一定距離離れたことを判断して、「紛失盗難警報」を行なうこととしている。
【０００４】
また、リライタブルラベルまたはＩＣチップ入りラベルを用いた虚偽表示防止方法に関する技術が、特開２００４−９４５１０号公報（特許文献２）に開示されている。特許文献２によると、ラベルの読込み、消去、書込みが可能なラベル書込み装置を用い、出荷帳票の作成と同時にリライタブルラベルに書込まれた仕入帳票の消去を行なうこととしている。こうすることにより、データの二重使用等の使いまわし、すなわち、データの不正使用を防止することとしている。
【先行技術文献】
【特許文献】
【０００５】
【特許文献１】特開２００２−１７５３５５号公報
【特許文献２】特開２００４−９４５１０号公報
【発明の概要】
【発明が解決しようとする課題】
【０００６】
特許文献１によると、親機である発信装置等からの受信信号が所定時間受信されない場合には、上記した警報を発することとしている。しかし、警報を発する状況下においても、データは依然としてＩＣカードに格納されたままである。したがって、データが悪用されてしまうおそれがある。
【０００７】
また、特許文献２によると、出荷帳票データの作成と同時に子機となるリライタブルラベルに書込まれた仕入帳票データを消去することとしている。このような構成においては、データを消去するタイミングやデータの消去命令の発信等が親機となるラベル書込み装置に依存するものとなり、システムが複雑化するおそれがある。また、親機からの電波を受信できないような状況下においては、親機から送信される電波のエネルギーを用いてのデータの消去を行なうことができず、セキュリティの観点からも問題がある。
【０００８】
この発明の目的は、システムの構築が容易であり、セキュリティを向上することができるデータ管理システムを提供することである。
【０００９】
この発明の他の目的は、構成が容易であり、セキュリティを向上することができるデータ管理方法を提供することである。
【００１０】
この発明のさらに他の目的は、セキュリティを向上することができるリーダを提供することである。
【００１１】
この発明のさらに他の目的は、セキュリティを向上することができるＲＦＩＤタグを提供することである。
【課題を解決するための手段】
【００１２】
この発明に係るデータ管理システムは、ＲＦＩＤタグと交信可能なリーダを備える。リーダは、ＲＦＩＤタグに格納されたデータを保持させるデータ保持信号をＲＦＩＤタグに送信する送信手段を含む。ＲＦＩＤタグは、データを格納する格納手段と、所定の電力を保持する電力保持手段と、送信手段により送信されたデータ保持信号を受信する受信手段と、受信手段によりデータ保持信号が受信されているか否かを判断する判断手段と、電力保持手段により保持した所定の電力のエネルギーを用いて、格納手段に格納されたデータを消去するデータ消去手段と、判断手段によりデータ保持信号を受信していないと判断すれば、データ消去手段を作動させるよう制御する制御手段とを含む。
【００１３】
好ましくは、データ消去手段は、格納手段に格納されたデータの一部を書き換える。
【００１４】
さらに好ましくは、判断手段によりデータ保持信号を受信していないと判断した後、データ消去手段が作動する前に、データ消去手段の作動前であることを報知する第一報知手段を含む。
【００１５】
さらに好ましくは、データ消去手段が作動したことを報知する第二報知手段を含む。
【００１６】
さらに好ましくは、ＲＦＩＤタグは、光を点灯させる光源部を含み、第一および第二報知手段のうち、少なくともいずれか一方は、光源部を作動させる。
【００１７】
また、ＲＦＩＤタグは、音声を出力する音声出力部を含み、第一および第二報知手段のうち、少なくともいずれか一方は、音声出力部を作動させるよう構成してもよい。
【００１８】
さらに好ましくは、判断手段は、受信手段によってデータ保持信号を所定時間受信しなければ、受信手段による信号の受信感度を高くする。
【００１９】
さらに好ましくは、電力保持手段は、ＲＦＩＤタグに取り付けられた電池を含む。
【００２０】
さらに好ましい一実施形態として、電池は、ＲＦＩＤタグに着脱可能である。
【００２１】
さらに好ましい一実施形態として、ＲＦＩＤタグは、セミパッシブタグである。
【００２２】
この発明の他の局面において、データ管理方法は、ＲＦＩＤタグに含まれる格納手段に格納されたデータを管理するデータ管理方法であって、ＲＦＩＤタグに対し、格納手段に格納されたデータを保持させるデータ保持信号を送信する送信ステップと、送信されたデータ保持信号を、ＲＦＩＤタグに含まれる受信手段によって受信する受信ステップと、受信手段によってデータ保持信号を受信されているか否かを、ＲＦＩＤタグに含まれる判断手段により判断する判断ステップと、判断ステップによりデータ保持信号を受信していないと判断すれば、ＲＦＩＤタグに含まれる電力保持手段により保持した所定の電力のエネルギーを用いて、格納手段に格納されたデータを消去するデータ消去ステップとを含む。
【００２３】
この発明のさらに他の局面においては、リーダは、データを格納する格納手段を含むＲＦＩＤタグと交信可能なリーダであって、格納手段に格納されたデータを保持させるデータ保持信号をＲＦＩＤタグに送信する送信手段を含む。
【００２４】
この発明のさらに他の局面においては、ＲＦＩＤタグは、データを格納する格納手段を含むＲＦＩＤタグであって、所定の電力を保持する電力保持手段と、リーダにより送信された信号であって、格納手段に格納されたデータを保持させるデータ保持信号を受信する受信手段と、受信手段によりデータ保持信号が受信されているか否かを判断する判断手段と、電力保持手段により保持した所定の電力のエネルギーを用いて、格納手段に格納されたデータを消去するデータ消去手段と、判断手段によりデータ保持信号を受信していないと判断すれば、データ消去手段を作動させるよう制御する制御手段とを含む。
【発明の効果】
【００２５】
このような構成のデータ管理システムおよびデータ管理方法によると、リーダからのデータ保持信号を受信しないとＲＦＩＤタグが判断すれば、ＲＦＩＤタグに含まれる電力保持手段に保持された所定の電力のエネルギーを用いて、ＲＦＩＤタグに含まれる格納手段に格納されたデータを消去する。そうすると、例えば、ＲＦＩＤタグが盗難にあい、リーダから送信されるデータ保持信号を受信できない範囲に持ち去られた場合においても、格納手段に格納されたデータの漏洩等、データの悪用を防止することができる。この場合、ＲＦＩＤタグに含まれる電力保持手段に保持された所定の電力のエネルギーを用いてデータを消去しているため、リーダや他装置の負荷を少なくすることができると共に、確実にデータを消去することができる。したがって、このようなデータ管理システムは、システムの構築が容易であり、セキュリティを向上することができる。
【００２６】
また、このようなリーダおよびＲＦＩＤタグによると、セキュリティを向上することができる。
【図面の簡単な説明】
【００２７】
【図１】この発明の一実施形態に係るデータ管理システムの構成を示す図である。
【図２】この発明の一実施形態に係るデータ管理システムにおいて、データを管理する場合における処理の流れを示すフローチャートである。
【図３】ＲＦＩＤタグがリーダライタの検知範囲外にある場合を示す図である。
【発明を実施するための形態】
【００２８】
以下、この発明の実施の形態を、図面を参照して説明する。まず、この発明の一実施形態に係るデータ管理システムの構成について説明する。図１は、この発明の一実施形態に係るデータ管理システムの構成を示す図である。なお、図１中、太線は信号ラインを示し、二重線は電源ラインを示す。
【００２９】
図１を参照して、この発明の一実施形態に係るデータ管理システム１１は、後述するＲＦＩＤタグ２１と交信可能なリーダライタ１２を備える。リーダライタ１２により、ＲＦＩＤタグ２１に対してのデータの書込み、すなわち、データの格納、およびデータの読取りが行なわれる。
【００３０】
リーダライタ１２は、ディスプレイ１４を備えるコンピュータ１３に接続されており、コンピュータ１３によって制御されている。リーダライタ１２は、ＲＦＩＤタグ２１に対して、信号を送信すると共に、ＲＦＩＤタグ２１から反射された信号を受信する。リーダライタ１２は、リーダライタ１２の検知範囲１５、すなわち、リーダライタ１２から発する電波の届く範囲内に配置されるＲＦＩＤタグ２１に対し、データの読書きが可能である。なお、図１および後述する図３において、リーダライタ１２の検知範囲１５を一点鎖線で示している。
【００３１】
ＲＦＩＤタグ２１は、データを格納する格納手段としてのメモリ２２と、ＲＦＩＤタグ２１自身に内蔵されるようにして取り付けられ、所定の電力を保持する電力保持手段としての電池２３と、リーダライタ１２から送信される信号を受信すると共に信号を反射するアンテナ２６と、信号に含まれるコマンドを制御するＲＦ回路２５と、ＲＦＩＤタグ２１全体を制御する制御回路２４とを含む。また、ＲＦＩＤタグ２１は、ＲＦＩＤタグ２１の一部において光を点灯させる光源部としてのＬＥＤ（Ｌｉｇｈｔ  Ｅｍｉｔｔｉｎｇ  Ｄｉｏｄｅ）２７と、ブザー音等の音声を発する音声出力部２８と、時間の計測が可能なタイマ２９とを含む。
【００３２】
メモリ２２には、種々のデータが格納される。メモリ２２に格納されたデータについては、制御回路２４によるデータの消去命令によってデータが消去される。
【００３３】
ＲＦＩＤタグ２１は、リーダライタ１２から送信される信号を受信した際に生み出されるエネルギー、および電池２３のエネルギーで動作するセミパッシブタグである。メモリ２２に格納されたデータについては、リーダライタ１２から送信される信号を受信した際に生み出されるエネルギー、または電池２３のエネルギーを用いて消去することができる。
【００３４】
電池２３は、ＲＦＩＤタグ２１に対して着脱可能である。すなわち、電池２３をＲＦＩＤタグ２１本体から取り外すことができる。
【００３５】
次に、この発明に係るデータ管理システム１１において、データを管理する方法について説明する。図２は、この場合における処理の流れを示すフローチャートである。図１および図２を参照して、まず、既にメモリ２２にデータが格納されたＲＦＩＤタグ２１を、所定の位置にセットする（図２において、ステップＳ１１、以下、ステップを省略する）。ここで、所定の位置とは、リーダライタ１２からの信号を受信できる検知範囲１５内である。この場合、コンピュータ１３の制御により、リーダライタ１２からは、常時、または所定の時間間隔で、メモリ２２に格納されたデータを保持させる信号、すなわち、メモリ２２に格納されたデータの保持を指示するデータ保持信号が含まれた信号が送信されている。
【００３６】
その後、ＲＦＩＤタグ２１に含まれるタイマ２９により時間を計測し、所定の時間が経過したか否かを判断する（Ｓ１２）。所定の時間については、例えば、数秒であってもよいし、数分であってもよい。
【００３７】
所定の時間が経過すれば（Ｓ１２において、ＹＥＳ）、アンテナ２６を介して、リーダライタ１２から送信されたデータ保持信号を受信したか否かを判断する（Ｓ１３）。この場合、制御回路２４は、判断手段として作動する。
【００３８】
ここで、ＲＦＩＤタグ２１が、悪意の第三者等、正規のユーザではない何者かに持ち去られた場合について考える。ＲＦＩＤタグ２１が何者かに持ち去られた場合には、図３に示すように、ＲＦＩＤタグ２１は、リーダライタ１２の検知範囲１５外に配置されることになる。この場合、ＲＦＩＤタグ２１は、リーダライタ１２から送信されるデータ保持信号を受信することができないことになる。
【００３９】
制御回路２４は、所定時間データ保持信号を受信しないと判断すれば（Ｓ１３において、ＹＥＳ）、ＲＦＩＤタグ２１における信号の受信感度を向上させる（Ｓ１４）。具体的には、ＲＦ回路２５における利得を向上させるようにする。
【００４０】
その後、再び、データ保持信号を受信したか否かを判断する（Ｓ１５）。受信感度を向上させた後においてもデータ保持信号を受信しないと判断した場合（Ｓ１５において、ＹＥＳ）、データ保持信号を受信していないと判断し、後述するデータの消去の前であることを、ＬＥＤ２７による光の点滅や音声出力部２８による音声の出力により報知する（Ｓ１６）。ここで、制御回路２４等は、第一報知手段として作動する。
【００４１】
その後、所定時間の経過を待って、制御回路２４によりメモリ２２に格納されたデータを消去する（Ｓ１７）。所定時間については、数秒や数分程度の時間が選択される。この場合、データの消去に際し、内蔵された電池２３のエネルギーを用いる。ここで、制御回路２４等は、データ消去手段として作動する。
【００４２】
データを消去した後、ＬＥＤ２７を点灯させると共に、音声出力部２８によりブザー音等の音声を出力する。このようにして、ＲＦＩＤタグ２１に含まれるメモリ２２に格納されたデータが消去されたことを報知する（Ｓ１８）。ここで、制御回路２４等は、第二報知手段として作動する。
【００４３】
一方、図１に示す場合のように、ＲＦＩＤタグ２１がリーダライタ１２の検知範囲１５内にあれば、リーダライタ１２から送信されるデータ保持信号を受信し（Ｓ１３、Ｓ１５において、ＮＯ）、受信信号を反射する（Ｓ１９）。これにより、リーダライタ１２、引いては、リーダライタ１２を制御するコンピュータ１３は、ＲＦＩＤタグ２１が検知範囲１５内にあると認識する。そして、コンピュータ１３に含まれるディスプレイ１４において、ＲＦＩＤタグ２１の検知範囲１５内にあることを表示し、報知する（Ｓ２０）。すなわち、ＲＦＩＤタグ２１がリーダライタ１２の検知範囲１５内にあることを報知する。ここでの表示は、例えば、ＲＦＩＤタグ２１のＩＤナンバー等を表示する。
【００４４】
このように、リーダライタ１２からのデータ保持信号を受信しないとＲＦＩＤタグ２１が判断すれば、ＲＦＩＤタグ２１に含まれる電池２３のエネルギーを用いて、ＲＦＩＤタグ２１に含まれるメモリ２２に格納されたデータを消去する。そうすると、上記したように、例えば、ＲＦＩＤタグ２１が盗難にあい、リーダライタ１２から送信されるデータ保持信号を受信できない範囲、すなわち、リーダライタ１２の検知範囲１５外に持ち去られた場合においても、メモリ２２に格納されたデータの漏洩等、データの悪用を防止することができる。この場合、ＲＦＩＤタグ２１に含まれる電池２３のエネルギーを用いてデータを消去しているため、リーダライタ１２や他装置の負荷を少なくすることができると共に、確実にデータを消去することができる。すなわち、リーダライタ１２から送信されるデータ消去信号を受信しなくとも、データを消去することができる。したがって、このようなデータ管理システム１１は、システムの構築が容易であり、セキュリティを向上することができる。
【００４５】
また、このようなリーダライタ１２およびＲＦＩＤタグ２１によると、セキュリティを向上することができる。
【００４６】
この場合、ＬＥＤ２７の点灯および音声出力部２８によるブザー音により、データが消去されたことを報知することができるため、再びＲＦＩＤタグ２１が正規のユーザの手元に戻ってきた場合等において、視覚および聴覚により、メモリ２２に格納されたデータが消去されていることを把握することができる。
【００４７】
また、一旦、データ保持信号を受信しないと判断した場合においても、信号の受信感度を向上させた後、再びデータ保持信号を受信するか否かを判断しているため、より確実にＲＦＩＤタグ２１が盗難にあったか否かを識別して、データの消去を行なうことができる。すなわち、ＲＦＩＤタグ２１は盗難にあっていないが、検知範囲１５よりも少し離れた位置にある場合や、ＲＦＩＤタグ２１は検知範囲１５内にあるが、リーダライタ１２とＲＦＩＤタグ２１との間に遮蔽物があり、リーダライタ１２から発せられる電波がＲＦＩＤタグ２１に届きにくい状況下にある場合においても、受信感度の向上により、データ保持信号を受信することができる。
【００４８】
また、データ保持信号を受信したか否かにより判断することとしているため、より確実にＲＦＩＤタグ２１が盗難にあったか否かを判断することができる。すなわち、リーダライタ１２以外のリーダライタ、具体的には、コンピュータ１３により制御されていないリーダライタ１２からの信号を受信した場合においても、この場合、信号にデータ保持信号が含まれていない。したがって、この場合はＲＦＩＤタグ２１が盗難にあったと判断し、データを消去することとしている。こうすることにより、より確実にＲＦＩＤタグ２１が盗難にあったか否かに基づいて、データの消去を行なうことができる。
【００４９】
ここで、この発明に係るデータ管理方法は、ＲＦＩＤタグに含まれる格納手段に格納されたデータを管理するデータ管理方法であって、ＲＦＩＤタグに対し、格納手段に格納されたデータを保持させるデータ保持信号を送信する送信ステップと、送信されたデータ保持信号を、ＲＦＩＤタグに含まれる受信手段によって受信する受信ステップと、受信手段によってデータ保持信号を受信されているか否かを、ＲＦＩＤタグに含まれる判断手段により判断する判断ステップと、判断ステップによりデータ保持信号を受信していないと判断すれば、ＲＦＩＤタグに含まれる電力保持手段により保持した所定の電力のエネルギーを用いて、格納手段に格納されたデータを消去するデータ消去ステップとを含む。
【００５０】
また、この発明に係るリーダは、データを格納する格納手段を含むＲＦＩＤタグと交信可能なリーダであって、格納手段に格納されたデータを保持させるデータ保持信号をＲＦＩＤタグに送信する送信手段を含む。
【００５１】
また、この発明に係るＲＦＩＤタグは、データを格納する格納手段を含むＲＦＩＤタグであって、所定の電力を保持する電力保持手段と、リーダにより送信された信号であって、格納手段に格納されたデータを保持させるデータ保持信号を受信する受信手段と、受信手段によりデータ保持信号が受信されているか否かを判断する判断手段と、電力保持手段により保持した所定の電力のエネルギーを用いて、格納手段に格納されたデータを消去するデータ消去手段と、判断手段によりデータ保持信号を受信していないと判断すれば、データ消去手段を作動させるよう制御する制御手段とを含む。
【００５２】
なお、上記した構成においては、ＲＦＩＤタグ２１に対して、電池２３を着脱可能としている。したがって、正規のユーザの行為により、ＲＦＩＤタグ２１について、やむを得ずリーダライタ１２の検知範囲１５外に持ち出す場合や、コンピュータ１３の停止等によりリーダライタ１２からデータ保持信号を送信しない場合において、ＲＦＩＤタグ２１から電池２３を取り外しておけば、正規のユーザの不本意な行為に基づくデータの消去を回避することができる。ここで、例えば、電池２３を着脱不能な構成としても、ＲＦＩＤタグ２１にスイッチを設け、スイッチがオンの状態のときにのみ、電池２３のエネルギーによるデータの消去を可能な構成としてもよい。こうすることにより、スイッチのオンまたはオフにより、正規のユーザの不注意によるデータの消去を回避することができる。
【００５３】
なお、上記の実施の形態においては、データ保持信号を受信しないと判断すれば、メモリに格納されたデータを消去することとしたが、これに限らず、データ保持信号を受信しないと判断すれば、格納されたデータの一部を書き換えるよう制御してもよい。具体的には、例えば、パスワードエリアに格納されているパスワードデータを書き換えるようにする。こうすることによっても、メモリに格納されたデータそのものを外部からそのまま見ることができなくなるため、データの漏洩を防止することができる。この場合、データの書き換えに際し、ＬＥＤの点灯や音声出力部による音声の出力等を行ってもよい。
【００５４】
また、上記の実施の形態においては、データの消去等に際して、ＬＥＤの点灯や音声の出力を行うこととしたが、データが保持されている場合にＬＥＤの点灯等を行い、データが消去された後にＬＥＤを点灯させないようにすることとしてもよい。また、例えば、受信感度を向上させる際に、ＬＥＤ等を点滅させ、信号の受信感度を向上させていることを報知するようにしてもよい。もちろん、光または音声のいずれか一方でのみ報知することとしてもよいし、データを消去する状況や信号の受信感度を向上させている状況等に応じて、光の明滅状態や発する光の色、そのパターン、音声の変更等を行なってもよい。
【００５５】
なお、上記の実施の形態においては、所定の電力を保持する電力保持手段として、ＲＦＩＤタグに取り付けられる電池を含むこととしたが、これに限らず、リーダライタ側から受信した電波のエネルギーを所定の時間保持する電力保持手段としてのコンデンサ等を用い、コンデンサに保持された電波のエネルギーを用いてデータを消去することにしてもよい。
【００５６】
また、上記の実施の形態においては、検知範囲外にＲＦＩＤタグが配置されたときに、データ保持信号を受信しないとしてデータを消去することとしたが、これに限らず、検知範囲内にＲＦＩＤタグが存在していたとしても、データ保持信号を受信しなくなれば、データを消去するよう構成してもよい。すなわち、単純にリーダライタ側からのデータ保持信号を受信しなくなれば、データを消去する構成としてもよい。
【００５７】
なお、上記の実施の形態においては、ＲＦＩＤタグと交信可能なリーダライタを備えることとしたが、これに限らず、ＲＦＩＤタグとの交信によりデータの読取りのみが可能なリーダを備えることとしてもよい。また、データを格納する格納手段をメモリとすることとしたが、これに限らず、ハードディスク等、データを格納する機能を有するものであればよい。また、ＲＦＩＤタグは、セミパッシブタグであるとしたが、これに限らず、電力を保持する電力保持手段を含むものであればよい。
【００５８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００５９】
この発明に係るデータ管理システムおよびデータ管理方法は、ＲＦＩＤタグに重要なデータが格納される場合に、有効に利用される。
【符号の説明】
【００６０】
１１  データ管理システム、１２  リーダライタ、１３  コンピュータ、１４  ディスプレイ、１５  検知範囲、２１  ＲＦＩＤタグ、２２  メモリ、２３  電池、２４  制御回路、２５  ＲＦ回路、２６  アンテナ、２７  ＬＥＤ、２８  音声出力部、２９  タイマ。
【図１】
2010186387.tif 000003
【図２】
2010186387.tif 000004
【図３】
2010186387.tif 000005